(57)【特許請求の範囲】
【請求項１】
ブレード塗工機におけるロール汚れの防止方法において、コーターヘッドの上流側近傍に取り付けられ、ウェブ両端の耳端部を感知する光反射型位置センサーと連動し、ウェブの被塗工面側両端部にエッジシャワーを施すそれぞれ２本のシャワーノズルが付設されたエッジシャワー装置により、水または水蒸気を噴射して該耳端部および該ウェブ端部側の被塗工部を湿潤化させ、過剰塗工液が付着するのを制御し、ウェブ両端の耳部により発生するロール汚れを防止することを特徴とするブレード塗工機におけるロール汚れの防止方法。
【請求項２】
ブレード塗工機におけるロール汚れの防止装置において、コーターヘッドの上流側近傍に、ウェブの被塗工面側両端部にエッジシャワーを施すそれぞれ２本のシャワーノズルが付設されたエッジシャワー装置、ウェブ幅方向に対して平行移動可能に該エッジシャワー装置を駆動する駆動モーター、駆動ギア、および駆動チェインからなる駆動装置、センサー用支持体を介して該エッジシャワー装置に連結する、ウェブ耳端部を感知する光反射型位置センサー、を設けてなり、ウェブ両端の耳部により発生するロール汚れを防止することを特徴とするブレード塗工機におけるロール汚れの防止装置。
【発明の詳細な説明】
【０００１】
【発明の属する技術分野】
本発明は、ブレード塗工機におけるロール汚れの防止方法およびその装置に関するものであり、さらに詳しくは、ブレード塗工機による塗工直後に発生するウェブ耳部のロール汚れを防止し、良好な塗工状態により安定して塗工紙を製造することのできるブレード塗工機におけるロール汚れの防止方法およびその装置に関するものである。
【０００２】
【従来の技術】
従来より、ブレード塗工機を用いてウェブに塗工液を塗工する場合、ブレード塗工機出口でのウェブ耳部はウェブ中央部との塗工量の差から、塗工液の液回りが発生し、バッキングロールのウェブ耳部では液粕を発生させることが多い。一旦ウェブ耳部において、液粕が発生すると、塗工ムラ、剥けなど、塗工紙の品質低下が生じてしまう。従来では、ウェブ耳部の汚れを防止するために、ブレード塗工機出口のロール上のウェブ耳部にゴムプレートなどを当てて防止していた。
【０００３】
従来のウェブ耳部のロール汚れの防止方法について、図面で説明する。図３は、従来におけるブレード塗工機を示す概略斜視図である。図３において、ブレード塗工機は、コーターヘッド１７、コーターブレード１８、バッキングロール１９から構成される。ウェブ２０は、コーターヘッド１７により塗工液（図示していない）が塗工され、コーターブレード１８により所定の塗工量となるように塗工液が掻き落とされ、ドライヤーパート２２へと走行される。ここで、ウェブ両端部、すなわちウェブ耳部は塗工液がウェブ裏面に回り込むことがあることから、塗工直後にウェブのエッジ端面に液回りが生じることになる。これを調整する手段として、バッキングロールのウェブのエッジ端部に粕取り用として接するゴムプレートが備えられているのである。
【０００４】
しかしながら、ブレード塗工機を用いたウェブへの塗工において、ウェブの塗工幅、塗工量、塗工スピード、ウェブの含有水分の幅方向のムラ、など種々条件が異なることから、従来の固定型のゴムプレートなどの手段では塗工時の条件に合わせた微妙な調節を行うことができず、未だ改善の余地があった。
【０００５】
【発明が解決しようとする課題】
本発明の目的は、ブレード塗工機による塗工直後に発生するウェブ耳部のロール汚れを防止し、良好な塗工状態により安定して塗工紙を製造することのできるブレード塗工機におけるロール汚れの防止方法およびその装置を提供するものである。
【０００６】
【課題を解決するための手段】
本発明者は、上記に鑑み鋭意検討した結果、本発明のブレード塗工機におけるロール汚れの防止方法およびその装置を発明するに至った。
【０００７】
すなわち、本発明のブレード塗工機におけるロール汚れの防止方法は、コーターヘッドの上流側近傍に取り付けられ、ウェブ両端の耳端部を感知する光反射型位置センサーと連動し、ウェブの被塗工面側両端部にエッジシャワーを施すそれぞれ２本のシャワーノズルが付設されたエッジシャワー装置により、水または水蒸気を噴射して該耳端部および該ウェブ端部側の被塗工部を湿潤化させ、過剰塗工液が付着するのを制御し、ウェブ両端の耳部により発生するロール汚れを防止することを特徴とするものである。
【０００８】
また、本発明のブレード塗工機におけるロール汚れの防止装置は、コーターヘッドの上流側近傍に、ウェブの被塗工面側両端部にエッジシャワーを施すそれぞれ２本のシャワーノズルが付設されたエッジシャワー装置、ウェブ幅方向に対して平行移動可能に該エッジシャワー装置を駆動する駆動モーター、駆動ギア、および駆動チェインからなる駆動装置、センサー用支持体を介して該エッジシャワー装置に連結する、ウェブ耳端部を感知する光反射型位置センサー、を設けてなり、ウェブ両端の耳部により発生するロール汚れを防止することを特徴とするものである。
【０００９】
【発明の実施の形態】
以下、本発明のブレード塗工機におけるロール汚れの防止方法およびその装置について、詳細に説明する。
【００１０】
本発明は、ブレード塗工機を用いて塗工液をウェブに塗工する際に、塗工直後のウェブ耳部とウェブ中央部との間で塗工量の差が生じて、ウェブ耳部のロール面が液粕で汚れを発生させることから、これを解決し、ウェブ耳部のロール汚れを防止する方法とその装置を発明したものである。
【００１１】
まず、図面で本発明のブレード塗工機におけるロール汚れの防止装置について説明する。
【００１２】
図１は、本発明におけるウェブ耳部のロール汚れを防止するエッジシャワー装置を備えたブレード塗工機を示す概略斜視図である。図１において、本発明におけるブレード塗工機では、エッジシャワー装置１、コーターヘッド５、コーターブレード６、バッキングロール２、駆動装置８、光反射型位置センサー９から構成される。ウェブ３は、コーターヘッド５により塗工液（図示していない）が塗工され、コーターブレード６により所定の塗工量となるように塗工液が掻き落とされ、ドライヤーパート７へと走行される。本発明では、塗工直前のバッキングロール２近傍の位置にあり、ウェブ３の塗工面と同一面のウェブ耳部４それぞれに対して２本、ウェブ耳部４のエッジシャワー装置１が備えられている。このウェブ耳部４のエッジシャワー装置１により、塗工直前にウェブ耳部４を湿潤状態にし、被塗工部と耳部との塗工量の差を調整することができる。その結果、ブレード塗工に当たって、ウェブの塗工幅、塗工量、塗工スピード、ウェブの含有水分の幅方向のムラ、などの種々条件が異なってもウェブの耳部の液回り現象を生じることなく安定して塗工紙を製造することができる。
【００１３】
また、本発明のウェブ耳部のエッジシャワー装置について、図２で説明する。
【００１４】
図２は、本発明におけるウェブ耳部のロール汚れを防止するエッジシャワー装置を示す概略図である。図２において、本発明のウェブ耳部のエッジシャワー装置は、光反射型位置センサー１０、センサー用支持体１５、駆動ギア１２、駆動チェイン１３、駆動モーター１４、から構成されている。
【００１５】
センサー用支持体１５に設けられている光反射型位置センサー１０は、ウェブの耳部を光反射方式で捕らえる。また、エッジシャワー装置は光反射型位置センサー１０と連動しており、自動的にノズル部分から噴射された水または水蒸気がウェブ耳部に当たるように調整される。
【００１６】
図２において、エッジシャワー装置を支持する支持体は、光反射型位置センサー１０を支持するセンサー支持体１５と同一のフレームであり、該センサー１０は塗工開始とともに作動し、ウェブ両端にエッジシャワー装置を配置させる作用を持つ。
【００１７】
本発明において、エッジシャワー装置としては、例えば、ステンレス鋼のような耐久性のある材質が好ましく、シャワー圧力としては０．０１Ｐａ程度であればよい。また、シャワーの幅は、ウェブ耳部に対応するものであり、適宜操業条件に合わせて採用すればよい。
【００１８】
本発明のブレード塗工機におけるロール汚れの防止方法では、エッジシャワー装置から水を噴射した場合には、バッキングロールの発熱を抑えることができ、ロール汚れに加えて効果的でもある。
【００１９】
【発明の効果】
上述したとおり、本発明のブレード塗工機におけるロール汚れの防止方法およびその装置は、ブレード塗工機による塗工直後に発生するウェブ耳部のロール汚れ防止し、良好な塗工状態により安定して塗工紙を製造することができる。
【図面の簡単な説明】
【図１】本発明におけるウェブ耳部のロール汚れを防止するエッジシャワー装置を備えたブレード塗工機を示す概略斜視図である。
【図２】本発明におけるウェブ耳部のロール汚れを防止するエッジシャワー装置を示す概略図である。
【図３】従来におけるブレード塗工機を示す概略斜視図である。
【符号の説明】
１  エッジシャワー装置
２、１９  バッキングロール
３、２０  ウェブ
４、２１  ウェブ耳部
５、１７  コーターヘッド
６、１８  コーターブレード
７、２２  ドライヤーパート
８  駆動装置
９、１０  光反射型位置センサー
１１  シャワーノズル
１２  駆動ギア
１３  駆動チェイン
１４  駆動モーター
１５  センサー用支持体
１６  水または水蒸気の導入管
【図１】
0003927021.tif 000002
【図２】
0003927021.tif 000003
【図３】
0003927021.tif 000004